(57)【要約】【課題】通信環境の変化や利用者の都合に応じて、利用者が自発的に通信条件を選択することができる。【解決手段】通信システム情報受信部は基地局装置を介して利用可能な通信条件に係る通信システム情報を前記基地局装置から受信し、通信条件選択部は前記通信システム情報受信部が受信した通信システム情報が示す通信条件のうち自装置の利用状況を示す端末情報に基づいて変更可能な通信条件のいずれかを選択し、通信条件変更要求部は自装置が現在利用している通信条件を前記通信条件選択部が選択した通信条件に変更することを前記基地局装置に要求する。【選択図】図４
2014183394.tif 000002
【特許請求の範囲】
【請求項１】
基地局装置を介して利用可能な通信条件に係る通信システム情報を前記基地局装置から受信する通信システム情報受信部と、
前記通信システム情報受信部が受信した通信システム情報が示す通信条件のうち自装置の利用状況を示す端末情報に基づいて変更可能な通信条件のいずれかを選択する通信条件選択部と、
自装置が現在利用している通信条件を前記通信条件選択部が選択した通信条件に変更することを前記基地局装置に要求する通信条件変更要求部と
を備える端末装置。
【請求項２】
前記通信条件選択部は、前記基地局装置から受信した通信システム情報が示す通信条件のうち、自装置が提供する通信サービスで要求される通信条件を選択することを特徴とする請求項１に記載の端末装置。
【請求項３】
利用者による操作入力を受け付ける操作受付部と、
前記利用者に情報を提示する表示部と、をさらに備え、
前記通信条件選択部は、前記基地局装置から受信した通信システム情報が示す通信条件を、前記表示部に表示させ、前記操作受付部が受け付けた操作入力に応じて、前記表示部に表示させた通信条件のいずれかを選択することを特徴とする請求項２に記載の端末装置。
【請求項４】
前記通信条件選択部は、前記端末情報に基づいて通信条件毎に順位を定め、前記定めた順位で前記通信条件を前記表示部に表示させることを特徴とする請求項３に記載の端末装置。
【請求項５】
前記通信システム情報受信部は、現在受信した通信システム情報が、直前に受信した通信システム情報から変更された場合、受信した通信システム情報が変更されたことを前記表示部に表示させることを特徴とする請求項３又は４に記載の端末装置。
【発明の詳細な説明】
【技術分野】
【０００１】
本発明は、端末装置に関する。
【背景技術】
【０００２】
従来、無線通信システムでは、通信チャネルの帯域幅、使用する通信チャネル数、アンテナの数等の通信モードを一定にして、単一の通信モードで通信を行っていた。しかし、通信インフラの整備や端末装置が有する機能の向上に伴い、１つの端末装置で異なる複数の通信方式の通信システムとの接続が可能になっている。また、ＬＴＥ−Ａ（Ｌｏｎｇ  Ｔｅｒｍ  Ｅｖｏｌｕｔｉｏｎ−Ａｄｖａｎｃｅｄ）等に代表される通信方式では、通信チャネルの帯域幅、使用する通信チャネル数、アンテナの数等が異なる複数の通信モードを併用することが提案されている。また、ＬＴＥ−Ａ等の通信システムでは、利用されている通信サービスやトラフィックの状況等に応じて、通信モードを切り替えることができる。また、複数の異なる通信方式、例えば、（例えば、ＬＴＥ、３Ｇ（第３世代移動通信システム、３ｒｄ  Ｇｅｎｅｒａｔｉｏｎ  Ｍｏｂｉｌｅ  Ｔｅｌｅｃｏｍｍｕｎｉｃａｔｉｏｎ  Ｓｙｓｔｅｍ（Ｗ−ＣＤＭＡ：Ｗｉｄｅｂａｎｄ  Ｃｏｄｅ  Ｄｉｖｉｄｅｄ  Ｍｕｌｔｉｐｌｅ  Ａｃｃｅｓｓともいう））を利用できる端末装置が開発されている。通信中でなければ、利用者はこの端末装置を用いて利用しようとする通信方式を選択することができる。
【先行技術文献】
【非特許文献】
【０００３】
【非特許文献１】３ＧＰＰ  ＴＳ  ３６．３０６，Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｕｓｅｒ  Ｅｑｕｉｐｍｅｎｔ  （ＵＥ）  ｒａｄｉｏ  ａｃｃｅｓｓ  ｃａｐａｂｉｌｉｔｉｅｓ，３ｒｄ  Ｇｅｎｅｒａｔｉｏｎ  Ｐａｒｔｎｅｒｓｈｉｐ  Ｐｒｏｊｅｃｔ，２０１１年６月２４日，Ｖ１０．２．０
【発明の概要】
【発明が解決しようとする課題】
【０００４】
しかしながら、ＬＴＥ−Ａ等の従来の通信システムでは、通信モードの設定や切り替えは、利用者側の端末装置の能力、利用するサービス、トラフィックの状況等に応じて、ネットワークに接続されている基地局装置が一意に定めるものであった。また、利用しようとする通信方式が選択され利用するサービスが決まった後では、従来の単一の通信方式での接続を前提としていた端末装置と同様に、現在使用されている通信方式の種類とその受信状態等の情報が提供されるに過ぎない。現在使用されていない通信方式についての通信状況に関しての情報、例えば、受信状態、その通信方式が他の端末装置等で現在利用されているか否か、等は提供されなかった。
【０００５】
他方、端末装置の移動等によって通信環境が変化し、現在利用している通信方式や通信モードよりも良好な品質で他の通信方式や通信モードが利用できることがある。このような場合でも、利用者が自発的に、他の通信方式への切り替えや、同一通信方式において異なる通信モードに変更することができなかった。例えば、ＬＴＥ−Ａ方式においてＣＡ（Ｃａｒｒｉｅｒ  Ａｇｇｒｅｇａｔｉｏｎ）の有無、３Ｇ方式においてＭＩＭＯ（Ｍｕｌｔｉｐｌｅ−Ｉｎｐｕｔ  ａｎｄ  Ｍｕｌｔｉｐｌｅ−Ｏｕｔｐｕｔ）の有無、ＨＳＤＰＡ（Ｈｉｇｈ−Ｓｐｅｅｄ  Ｄｏｗｎｌｉｎｋ  Ｐａｃｋｅｔ  Ａｃｃｅｓｓ）の利用の有無の設定、消費電力が通常よりも少ない省電力モードの選択、等がいずれもできなかった。そのため、利用者は必ずしも良好な品質で通信サービスを享受することができなかった。
【０００６】
本発明は上記の点に鑑みてなされたものであり、通信環境の変化や利用者の都合に応じて、利用者が自発的に通信条件を選択することができる端末装置を提供する。
【課題を解決するための手段】
【０００７】
本発明は上記の課題を解決するためになされたものであり、本発明の一態様は、基地局装置を介して利用可能な通信条件に係る通信システム情報を前記基地局装置から受信する通信システム情報受信部と、前記通信システム情報受信部が受信した通信システム情報が示す通信条件のうち自装置の利用状況を示す端末情報に基づいて変更可能な通信条件のいずれかを選択する通信条件選択部と、自装置が現在利用している通信条件を前記通信条件選択部が選択した通信条件に変更することを前記基地局装置に要求する通信条件変更要求部と、を備える端末装置である。
【発明の効果】
【０００８】
本発明によれば、通信環境の変化や利用者の都合に応じて、利用者が自発的に通信条件を選択することができる。
【図面の簡単な説明】
【０００９】
【図１】本発明の第１の実施形態に係る通信システムを示す概念図である。
【図２】本実施形態に係る基地局装置の一構成例を示す概略ブロック図である。
【図３】本実施形態に係る基地局装置の他の構成例を示す概略ブロック図である。
【図４】本実施形態に係る端末装置の構成を示す概略ブロック図である。
【図５】本実施形態に係る端末装置における通信処理を示すフローチャートである。
【図６】本実施形態に係る基地局装置における通信処理を示すフローチャートである。
【図７】本実施形態に係る通信システムにおける通信処理の一例を示すシーケンス図である。
【図８】本実施形態に係る通信システムにおける通信処理の他の例を示すシーケンス図である。
【発明を実施するための形態】
【００１０】
（第１の実施形態）
以下、図面を参照しながら本発明の実施形態について説明する。
図１は、本実施形態に係る通信システム１を示す概念図である。
通信システム１は、複数個（図１に示す例では３個）の基地局装置ＢＴＳａ１、ＢＴＳａ２、ＢＴＳｂ１及び端末装置２００を含んで構成される。以下の説明では、基地局装置ＢＴＳａ１、ＢＴＳａ２、ＢＴＳｂ１を特に区別しない場合、基地局装置１００と呼ぶ。
【００１１】
基地局装置１００は、それぞれコアネットワーク（図示せず）に接続され、電波を用いて端末装置２００との間で通信を行う。基地局装置ＢＴＳａ１、ＢＴＳａ２は、電波が届く範囲が比較的広範な（例えば、半径数百ｍ〜数ｋｍ）マクロセル（ｍａｃｒｏ  ｃｅｌｌ）である。基地局装置ＢＴＳｂ１は、電波が届く範囲がマクロセルよりも狭い（例えば、半径数ｍ〜数百ｍ）スモールセル（ｓｍａｌｌ  ｃｅｌｌ、小規模基地局装置）である。スモールセルには、例えば、マイクロセルやフェムトセルが含まれる。図１に示す例では、セルｃａ１、ｃａ２、ｃｂ１は、それぞれ基地局装置ＢＴＳａ１、ＢＴＳａ２、ＢＴＳｂ１から電波が届く範囲を示す。セルｃａ１の一部は、セルｃａ２の一部に重複し、その重複する領域にセルｃｂ１が含まれる。基地局装置１００は、公衆無線通信網（ＰＬＭＮ：Ｐｕｂｌｉｃ  Ｌａｎｄ  Ｍｏｂｉｌｅ  Ｎｅｔｗｏｒｋ）のみならず、無線ＬＡＮ（Ｌｏｃａｌ  Ａｒｅａ  Ｎｅｔｗｏｒｋ）のアクセスポイントとして用いられてもよい。      
【００１２】
基地局装置１００は、それぞれ自装置を含む予め定めた範囲内に配置された周囲の基地局装置の通信システム情報Ａを、例えばコアネットワーク（図示せず）から収集し、収集した通信システム情報Ａを電波が届く範囲に在圏している端末装置２００に送信する。通信システム情報Ａは、各基地局装置と接続して通信を行う際に利用可能な通信条件、その特性、利用状況を示す情報である。通信条件とは、通信を行うために通信システムが提供可能な通信条件として端末装置２００が使用する機能や諸元に係る情報であり、通信方式、通信モード、又はその両者を含む。通信システム情報Ａは、例えば、各基地局装置が利用している通信方式（ＬＴＥ、Ｗ−ＣＤＭＡ、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＩＥＥＥ８０２．１１、等）、通信モード（ＣＡの利用の有無、ＭＩＭＯの利用の有無、ＨＳＤＰＡの利用の有無等）でのトラフィック情報、在圏端末数、在圏端末率、位置情報（例えば、スモールセル）、利用可能な通信方式、セキュリティ情報のいずれか、又はこれらの組み合わせが含まれる。
【００１３】
端末装置２００は、複数の通信方式、例えば、ＬＴＥ−Ａ、Ｗ−ＣＤＭＡ、ＧＳＭ（登録商標）等、を利用して通信を行うことができる。端末装置２００がＬＴＥ−Ａを利用する場合には、複数のキャリア（搬送波）を用いて相手先の端末装置と通信を行うこと、つまりＣＡを行うことができる。端末装置２００は、基地局装置１００から受信した通信システム情報Ａに基づいて通信モードを選択し、選択した通信モードでの通信を行うことを要求する通信モード要求信号を基地局装置１００に送信する。端末装置２００は、端末情報Ｂを取得する端末情報取得部を備える。端末情報Ｂは、端末装置２００が通信を行う際に用いられる機能の利用状況を示す情報である。端末情報Ｂには、例えば、現在行われている通信で端末装置２００が提供している通信サービス（例えば、通話、電子メール、動画通信、ＳＮＳ（Ｓｏｃｉａｌ  Ｎｅｔｗｏｒｋｉｎｇ  Ｓｅｒｖｉｃｅ）等）、電池残量、提供中の通信サービスで要求される通信速度、等のいずれか、又はこれらの組み合わせが含まれる。
【００１４】
端末装置２００の移動等による通信環境の変化、端末装置２００で提供されている通信サービスの変化により、現在利用している通信方式や通信モードでの通信サービスの提供が適切でなくなることがある。このようなとき、端末装置２００は、基地局装置１００から受信した通信システム情報Ａと自装置が取得した端末情報Ｂに基づいて、利用者による操作入力に応じて他の通信方式や通信モードに変更することができる。
【００１５】
例えば、端末装置２００が、セルｃａ１において基地局装置ＢＴＳａ１と、ＰＣＣ（Ｐｒｉｍａｒｙ  Ｃｏｍｐｏｎｅｎｔ  Ｃａｒｒｉｅｒ）及びＳＣＣ（Ｓｅｃｏｎｄａｒｙ  Ｃｏｍｐｏｎｅｎｔ  Ｃａｒｒｉｅｒ）を用いてＣＡを行っているときに、セルｃｂ１が重複する範囲内に移動した場合を考える。基地局装置ＢＴＳａ１は、通信システム情報Ａとして、基地局装置ＢＴＳａ２、ＢＴＳｂ１それぞれが利用可能な通信方式、通信モードのトラフィック情報を収集する。端末装置２００は、基地局装置ＢＴＳａ１から受信した通信システム情報Ａに含まれるＢＴＳｂ１に係る情報のうち、端末情報Ｂが示す利用可能な通信モードとして、ＳＣＣの接続先の基地局装置ＢＴＳｂ１を表示する。端末装置２００は、利用者の操作入力を受け付けて接続先を変更すると判定した場合には、端末装置２００は、ＳＣＣの接続先を基地局装置ＢＴＳｂ１に変更することを示す通信条件変更要求情報を基地局装置ＢＴＳａ１に送信する。従って、利用者は、通信システム情報Ａと端末情報Ｂに基づいて、利用者の要望（例えば、通信速度を優先するか、消費電力の低減を優先するか等）に応じて、通信モードとして、例えば、接続先の基地局装置ＢＴＳａ１、ＢＴＳｂ１のいずれかを選択することができる。
【００１６】
次に、基地局装置１００の構成について説明する。
図２は、基地局装置１００の一構成例を示す概略ブロック図である。
基地局装置１００は、送信部１０１、受信部１０２、及び制御部１２０を含んで構成される。
【００１７】
送信部１０１は、通信方式毎に、例えば、２個の送信処理部を含んで構成される。送信処理部１０１−１−１、１０１−１−２が用いる通信方式１は、例えば、ＬＴＥ−Ａ方式である。送信処理部１０１−２−１、１０１−２−２が用いる通信方式２は、例えば、Ｗ−ＣＤＭＡ方式である。送信処理部１０１−１−１、１０１−１−２及び送信処理部１０１−２−１、１０１−２−２は、それぞれ異なる周波数帯域（例えば、バンド１、２）のキャリアを用いて制御部１２０からの送信信号を端末装置２００に送信する。バンド１、２は、それぞれ各通信方式で利用可能な周波数帯域である。例えば、２ＧＨｚ帯：アップリンク１９２０ＭＨｚ−１９８０ＭＨｚ、ダウンリンク２１２０−２１７０ＭＨｚ、８００ＭＨｚ帯：アップリンク８２４ＭＨｚ−８４９ＭＨｚ、ダウンリンク８６９ＭＨｚ−８９４ＭＨｚ等である。
受信部１０２は、通信方式毎に、例えば、２個の受信処理部１０２−１−１〜１０２−２−２を含んで構成される。受信処理部１０２−１−１、１０２−１−２が用いる通信方式１は、例えば、ＬＴＥ−Ａ方式である。受信処理部１０２−２−１、１０２−２−２が用いる通信方式２は、例えば、Ｗ−ＣＤＭＡ方式である。受信処理部１０２−１−１、１０２−１−２及び受信処理部１０２−２−１、１０２−２−２は、それぞれ異なる周波数帯域（例えば、バンド１、２）のキャリアを用いて端末装置２００からの受信信号を制御部１２０に出力する。
【００１８】
送信処理部１０１−１−１等と受信処理部１０２−１−１等において共通化可能な部位は、共通化して構成されていてもよい。また、送信処理部及び受信処理部のいずれかが１つの周波数帯域において複数のキャリアを用いて送信又は受信を実行する場合には、そのいずれかの処理部が複数個の送信処理部又は受信処理部で構成されていてもよい。
なお、送信処理部１０１−１−１等、受信処理部１０２−１−１等の個数は各２個に限られず、１個又は２個よりも多くてもよい。
【００１９】
制御部１２０は、通信システム情報処理部１２１と通信条件変更要求処理部１２２を含んで構成される。
通信システム情報処理部１２１は、通信システム情報要求受信部１２１１、通信システム情報収集部１２１２及び通信システム情報送信部１２１３を含んで構成される。
通信システム情報要求受信部１２１１は、通信システム情報を要求することを示す通信システム情報要求信号を端末装置２００から受信し、受信した通信システム情報要求信号を通信システム情報送信部１２１３に出力する。
通信システム情報収集部１２１２は、自装置に接続されているコアネットワーク（図示せず）から通信システム情報を受信（収集）し、受信した通信システム情報を通信システム情報送信部１２１３に出力する。
通信システム情報送信部１２１３は、通信システム情報要求受信部１２１１から通信システム情報要求信号が入力されたとき、通信システム情報収集部１２１２から入力された通信システム情報を端末装置２００に送信する。なお、通信システム情報送信部１２１３は、予め定めた時間間隔で通信システム情報を端末装置２００に送信してもよく、その通信システム情報を通信システム情報として報知情報を端末装置２００に送信してもよい。
【００２０】
通信条件変更要求処理部１２２は、通信条件変更要求受信部１２２１、通信条件変更可否判定部１２２２、通信条件変更可否送信部１２２３及び通信条件変更処理部１２２４を含んで構成される。
通信条件変更要求受信部１２２１は、通信条件の変更を要求することを示す通信条件変更要求信号を端末装置２００から受信し、受信した通信条件変更要求信号を通信条件変更可否判定部１２２２に出力する。
通信条件変更可否判定部１２２２は、通信条件変更要求受信部１２２１から入力された通信条件変更要求信号が示す通信条件への変更の可否を判定し、判定した可否を示す通信条件変更可否信号を通信条件変更可否送信部１２２３に出力する。通信条件変更可否判定部１２２２は、変更の可否に際して、例えば、端末装置２００から受信した計測値（後述）が所定値を越える場合に変更可と判定し、超えない場合に変更不可と判定してもよい。
通信条件変更可否送信部１２２３は、通信条件変更可否判定部１２２２から入力された通信条件変更可否信号を端末装置２００に送信する。
通信条件変更処理部１２２４は、通信条件変更可否判定部１２２２から入力された通信条件変更可否信号が示す変更可能な通信条件に応じた機能を送信部１０１及び受信部１０２に設定して、通信に用いられる通信条件を変更する。
なお、制御部１２０は、端末装置２００から受信した受信データ、端末装置２００へ送信する送信データに対する処理、送信部１０１及び受信部１０２でのキャリア周波数の制御等、基地局装置１００での通信に関わる処理を行う。具体例については、後述する。
【００２１】
また、次に説明するように基地局装置１００は、それぞれ１つの通信方式のデータを送受信するための構成を備えていてもよい。
図３は、本実施形態に係る基地局装置の他の構成例（基地局装置１００ｌ、１００ｗ）を示す概略ブロック図である。
例えば、基地局装置１００ｌ、１００ｗは、それぞれＬＴＥ−Ａ方式、Ｗ−ＣＤＭＡ方式でデータを送受信するための構成を備える。基地局装置１００ｌ、１００ｗは、それぞれ送信部１０１ｌ、１０１ｗ、受信部１０２ｌ、１０２ｗ及び制御部１２０ｌ、１２０ｗを備える。これらの構成部が行う処理は、送信部１０１、受信部１０２及び制御部１２０（図２）と同様である。制御部１２０ｌ、１２０ｗは、それぞれコアネットワーク３１を介して端末装置２００の位置登録、相手先の端末装置との間の接続処理、相手先の端末装置との間の通信等を行う。但し、制御部１２０ｗは、基地局コントローラ３２０を介してコアネットワーク３１に接続されている。
【００２２】
次に、端末装置２００の構成について説明する。
図４は、端末装置２００の構成を示す概略ブロック図である。
端末装置２００は、送信部２０１、受信部２０２、表示部２０３、操作受付部２０４及び制御部２２０を含んで構成される。
【００２３】
送信部２０１は、通信方式毎に、例えば、２個の送信処理部を含んで構成される。送信処理部２０１−１−１、２０１−１−２が用いる通信方式１は、例えば、ＬＴＥ−Ａ方式である。送信処理部２０１−２−１、２０１−２−２が用いる通信方式２は、例えば、Ｗ−ＣＤＭＡ方式である。送信処理部２０１−１−１、２０１−１−２は、それぞれ異なる周波数帯域（例えば、バンド１、２）のキャリアを用いて制御部２２０から入力された送信信号を基地局装置１００に送信する。送信処理部２０１−２−１、２０１−２−２も、それぞれ異なる周波数帯域（例えば、バンド１、２）のキャリアを用いて制御部２２０から入力された送信信号を基地局装置１００に送信する。バンド１、２とは、各通信方式で利用可能な周波数帯域を示す。例えば、２ＧＨｚ帯：アップリンク１９２０ＭＨｚ−１９８０ＭＨｚ、ダウンリンク２１２０−２１７０ＭＨｚ、８００ＭＨｚ帯：アップリンク８２４ＭＨｚ−８４９ＭＨｚ、ダウンリンク８６９ＭＨｚ−８９４ＭＨｚ等である。
【００２４】
受信部２０２は、通信方式毎に、例えば、２個の受信処理部２０２−１−１〜２０２−２−２を含んで構成される。受信処理部２０２−１−１、２０２−１−２が用いる通信方式１は、例えば、ＬＴＥ−Ａ方式である。受信処理部２０２−２−１、２０２−２−２が用いる通信方式２は、例えば、Ｗ−ＣＤＭＡ方式である。受信処理部２０２−１−１、２０２−１−２は、それぞれバンド１、２のキャリアを用いて基地局装置１００からの受信信号を制御部２２０に出力する。受信処理部２０２−２−１、２０２−２−２も、それぞれバンド１、２のキャリアを用いて基地局装置１００からの受信信号を制御部２２０に出力する。
【００２５】
送信処理部２０１−１−１等と受信処理部２０２−１−１等において共通化可能な部位は、共通化して構成されていてもよい。また、送信処理部２０１−１−１等及び受信処理部２０２−１−１等のいずれかが１つの周波数帯域において複数のキャリアを用いて送信又は受信を実行する場合には、そのいずれかの処理部が複数個の送信処理部又は受信処理部で構成されていてもよい。
なお、送信処理部２０１−１−１等、受信処理部２０２−１−１等の個数は各２個に限られず、１個又は２個よりも多くてもよい。
【００２６】
表示部２０３は、制御部２２０から入力された画像信号に基づく画像、例えば、通信条件を選択するための通信条件選択画像を表示する。これにより、利用者に制御部２２０から入力された情報、例えば利用可能な通信条件が表示される。表示部２０３が対応するハードウェアは、例えば液晶ディスプレイデバイスや有機ＥＬ（ｅｌｅｃｔｒｏ  ｌｕｍｉｎｅｓｃｅｎｃｅ）ディスプレイデバイスである。
操作受付部２０４は、利用者による操作入力を受け付け、受け付けた操作入力を示す操作入力信号を制御部２２０に出力する。操作受付部２０４は、操作デバイスとして、各種のボタンやキーなどの他、例えば表示部２０３と一体化されたタッチパネルなどを含んでもよい。操作入力信号には、例えば、端末装置２００の通信条件を変更することを示す通信条件変更信号や、利用可能な通信条件のいずれかを選択することを示す通信条件選択信号がある。操作受付部２０４は、通信条件変更操作の他、端末装置２００に関する各種の操作、例えば、通信サービスの選択、その開始、終了等の操作を受け付ける。
【００２７】
制御部２２０は、通信システム情報要求部２２１、通信システム情報受信部２２２、通信システム情報記憶部２２３、端末情報取得部２２４、通信条件選択部２２５、通信条件変更要求部２２６及び通信条件変更処理部２２７を含んで構成される。
通信システム情報要求部２２１は、操作受付部２０４から通信条件変更信号が入力されたとき通信システム情報要求信号を基地局装置１００に送信する。通信システム情報要求部２２１は、予め定めた時間間隔（例えば、５分）で通信システム情報要求信号を基地局装置１００に送信してもよい。
通信システム情報受信部２２２は、基地局装置１００から通信システム情報を受信し、受信した通信システム情報を通信システム情報記憶部２２３に記憶する。
端末情報取得部２２４は、端末情報を取得し、取得した端末情報を通信条件選択部２２５に出力する。
【００２８】
通信条件選択部２２５は、通信システム情報記憶部２２３から通信システム情報を読み出し、端末情報取得部から入力された端末情報に基づいて読み出した通信システム情報から利用可能な通信条件を抽出する。
通信条件選択部２２５は、例えば、現在提供されている通信サービスに係るトラフィックを実現できる通信条件を、利用可能な通信条件として抽出する。通信条件選択部２２５は、例えば、現在提供されている通信サービスに係るトラフィックと、現在のトラフィックとの合計が少なくとも、そのトラフィックの上限よりも少ない通信条件を抽出する。
通信システム情報が高いセキュリティを確保できる通信方式を含む場合であって、端末装置２００が高いセキュリティが求められる通信サービスを提供しているときには、通信条件選択部２２５は、その通信方式を利用可能な通信条件として抽出してもよい。高いセキュリティが求められる通信サービスとは、例えば、暗証番号等の個人情報を送受信するサービスである。これにより、現在利用されている通信方式よりも高いセキュリティを確保できる通信方式（例えば、ＩＥＥＥ８０２．１１からＷ−ＣＤＭＡ）への誘導及び変更が可能になる。
通信条件選択部２２５は、抽出した通信条件を示す通信条件情報を表示部２０３に出力し、通信条件選択画像を表示させる。通信条件選択部２２５は、抽出した利用可能な通信条件から、操作受付部２０４から入力された通信条件選択信号が示す通信条件を選択し、選択した通信条件を示す通信条件情報を通信条件変更要求部２２６に出力する。
【００２９】
通信条件変更要求部２２６は、通信条件選択部２２５から入力された通信条件情報が示す通信条件への変更を要求することを示す通信条件変更要求信号を基地局装置１００に送信する。
通信条件変更処理部２２７は、基地局装置１００から通信条件変更可否信号を受信し、受信した通信条件変更可否信号が通信条件を変更することを示している場合、変更しようとする通信条件に応じた機能を送信部２０１及び受信部２０２に設定する。
なお、制御部２２０は、基地局装置１００から受信した受信データ、基地局装置１００へ送信する送信データに対する処理、送信部２０１及び受信部２０２でのキャリア周波数の制御等、端末装置２００での通信に関わる処理を行う。その他、制御部２２０は、基地局装置１００からの受信信号に基づいて、例えば、受信強度等の計測値を計測し、計測した計測値を示す計測情報（例えば、メジャメントレポート）を基地局装置１００に送信してもよい。
【００３０】
次に、端末装置２００における通信処理について説明する。
図５は、本実施形態に係る端末装置２００における通信処理を示すフローチャートである。
（ステップＳ１０１）通信システム情報要求部２２１（図４）は、操作受付部２０４から利用者による操作入力を受け付け、通信条件（通信方式、通信モード）の変更を示す通信条件変更信号が入力される。その後、ステップＳ１０２に進む。
（ステップＳ１０２）通信システム情報要求部２２１は、通信システム情報要求信号を基地局装置１００に送信する。その後、ステップＳ１０３に進む。
（ステップＳ１０３）通信システム情報受信部２２２は、基地局装置１００から通信システム情報を受信する。その後、ステップＳ１０４に進む。
（ステップＳ１０４）通信条件選択部２２５は、受信した通信システム情報から利用可能な通信条件を、端末情報取得部２２４から入力された端末情報に基づいて抽出し、表示部２０３に表示させる。その後、ステップＳ１０５に進む。
【００３１】
（ステップＳ１０５）通信条件選択部２２５は、表示させた通信条件を視認した利用者が行った操作入力を操作受付部２０４が受け付けたことに応じて、入力された通信条件選択信号が示す通信条件（通信方式、通信モード）を選択する。その後、ステップＳ１０６に進む。
（ステップＳ１０６）通信条件変更要求部２２６は、選択された通信条件（通信方式、通信モード）への変更を要求することを示す通信条件変更要求信号を基地局装置１００に送信する。その後、ステップＳ１０７に進む。
（ステップＳ１０７）通信条件変更処理部２２７は、基地局装置１００から受信した通信条件変更可否信号（変更要求）が通信条件を変更可能であることを示しているか否かを判定する。通信条件を変更不可能であることを示している場合には（ステップＳ１０７  ＹＥＳ）、ステップＳ１０８に進む。通信条件を変更できないことを示している場合には（ステップＳ１０７  ＮＯ）、ステップＳ１１０に進む。
【００３２】
（ステップＳ１０８）通信条件変更処理部２２７は、選択された通信条件（通信方式、通信モード）に応じた機能を送信部２０１及び受信部２０２に設定して、現在通信に用いられている通信条件を変更する。その後、ステップＳ１０９に進む。
（ステップＳ１０９）端末装置２００は、変更した通信条件で基地局装置１００との通信を開始する。その後、本フローチャートに係る処理を終了する。
（ステップＳ１１０）端末装置２００は、現在用いられている通信条件で基地局装置１００との通信を継続する。その後、本フローチャートに係る処理を終了する。
【００３３】
次に、本実施形態に係る基地局装置１００における通信処理について説明する。
図６は、本実施形態に係る基地局装置１００における通信処理を示すフローチャートである。
（ステップＳ２０１）通信システム情報要求受信部１２１１は、端末装置２００から通信システム情報要求信号を受信する。その後、ステップＳ２０２に進む。
（ステップＳ２０２）通信システム情報収集部１２１２は、コアネットワークから通信システム情報（例えば、隣接セルの通信システム情報）を収集する。その後、ステップＳ２０３に進む。
（ステップＳ２０３）通信システム情報送信部１２１３は、収集した通信システム情報を端末装置２００に送信する。その後、ステップＳ２０４に進む。
【００３４】
（ステップＳ２０４）通信条件変更要求受信部１２２１は、通信条件（通信方式、通信モード）の変更を要求することを示す通信条件変更要求信号を端末装置２００から受信する。その後、ステップＳ２０５に進む。
（ステップＳ２０５）通信条件変更可否判定部１２２２は、通信条件変更要求受信部１２２１から入力された通信条件変更要求信号が示す通信条件への変更（変更要求）の可否を判定する。変更可能と判定された場合には（ステップＳ２０５  ＹＥＳ）、ステップＳ２０６に進む。変更不可と判定された場合には（ステップＳ２０５  ＮＯ）、ステップＳ２０８に進む。
【００３５】
（ステップＳ２０６）通信条件変更可否送信部１２２３は、通信条件を変更できることを示す通信条件変更可否信号を端末装置２００に送信する。通信条件変更処理部１２２４は、変更が可能と判定された通信条件（通信方式、通信モード）に応じた機能を送信部１０１及び受信部１０２に設定して、現在通信に用いられている通信条件を変更する。その後、ステップＳ２０７に進む。
（ステップＳ２０７）基地局装置１００は、変更した通信条件で端末装置２００との通信を開始する。その後、本フローチャートに係る処理を終了する。
（ステップＳ２０８）通信条件変更可否送信部１２２３は、通信条件を変更できないことを示す通信条件変更可否信号を端末装置２００に送信する。基地局装置１００は、現在用いられている通信条件で端末装置２００との通信を継続する。その後、本フローチャートに係る処理を終了する。
【００３６】
次に、本実施形態に係る通信システムにおける通信処理の一例について説明する。以下の説明では、図１に示す通信システム１において端末装置２００が通信モード１を用いてデータ通信（サービス１）を行っている状態から、同一のサービス１を行ったまま通信モード２を用いる状態に変更する場合を例にとる。通信モード１では、端末装置２００は基地局装置ＢＴＳａ１との間で、２個のＣＣ（Ｃｏｍｐｏｎｅｎｔ  Ｃａｒｒｉｅｒ、コンポーネントキャリア）を用いてＣＡ（イントラサイトＣＡ）を行う。２個のＣＣのうち、ＰＣＣとしてＣＣａ１を用い、ＳＣＣとしてＣＣａ２を用いる。通信モード２では、端末装置２００は基地局装置ＢＴＳａ１、ＢＴＳｂ１との間で、ＰＣＣ、ＳＣＣとしてそれぞれＣＣａ１、ＣＣｂ１を用いてＣＡ（インタサイトＣＡ）を行う。
【００３７】
図７は、本実施形態を係る通信システム１における通信処理の一例を示すシーケンス図である。
（ステップＳ３０１）端末装置２００は、利用者による操作入力を受け付け、通信条件の変更を示す通信条件変更信号が入力される（通信条件変更要求）。その後、ステップＳ３０２に進む。
（ステップＳ３０２）端末装置２００は、通信システム情報要求信号を基地局装置１００に送信する。端末装置２００が送信する通信システム情報要求信号は、例えば、利用可能な通信条件と現在提供されているサービス１を実現するための通信条件を示す通信システム情報を要求することを示す信号である。その後、ステップＳ３０３に進む。
（ステップＳ３０３）基地局装置ＢＴＳａ１は、端末装置２００から通信システム情報要求信号を受信し、コアネットワークから通信システム情報を収集する。その後、ステップＳ３０４に進む。
（ステップＳ３０４）基地局装置ＢＴＳａ１は、収集した通信システム情報を端末装置２００に送信する。その後、ステップＳ３０５に進む。
【００３８】
（ステップＳ３０５）端末装置２００は、セルサーチを行い、基地局装置ＢＴＳａ１の周囲の基地局装置であって利用可能な基地局装置１００（例えば、基地局装置ＢＴＳｂ１を含む）を検出する。端末装置２００は、基地局装置ＢＴＳａ１から受信した通信システム情報から検出した基地局装置１００に係る通信システム情報を、利用可能な通信条件（通信方式、通信モード）として抽出する。端末装置２００は、抽出した利用可能な通信条件を表示する。その後、ステップＳ３０６に進む。
（ステップＳ３０６）端末装置２００は、表示した通信条件から、利用者による操作入力を受け付け、いずれかの通信条件（例えば、通信モード２）を選択する。その後、ステップＳ３０７に進む。
（ステップＳ３０７）端末装置２００は、選択された通信条件（例えば、通信方式２）への変更を示す通信条件変更要求信号を基地局装置ＢＴＳａ１に送信する。ここで、端末装置２００は、検出した基地局装置１００からの受信信号に基づいて計測した計測値を示す計測情報を基地局装置ＢＴＳａ１に送信してもよい。その後、ステップＳ３０８に進む。
【００３９】
（ステップＳ３０８）基地局装置ＢＴＳａ１は、端末装置２００から受信した計測情報に基づいて、端末装置２００から受信した通信条件変更要求信号が示す通信条件（例えば、通信モード２）への変更の可否（例えば、変更可）を判定する。その後、ステップＳ３０９に進む。
（ステップＳ３０９）基地局装置ＢＴＳａ１は、通信条件の変更が可能であることを示す通信条件変更可否信号を端末装置２００に送信する。その後、ステップＳ３１０に進む。
【００４０】
（ステップＳ３１０）基地局装置ＢＴＳａ１は、変更が可能と判定された通信条件への変更するための処理を行う。ここで、基地局装置ＢＴＳａ１は、端末装置２００とのＳＣＣでの接続先をＢＴＳａ１からＢＴＳｂ１に変更することを示す変更（ＨＯ：Ｈａｎｄ  Ｏｖｅｒ）要求信号をＢＴＳｂ１に送信する。その後、ステップＳ３１１に進む。
（ステップＳ３１１）基地局装置ＢＴＳｂ１は、基地局装置ＢＴＳａ１から受信した変更要求信号が示す通信条件への変更可能であるか否かを判定する。基地局装置ＢＴＳｂ１は、例えば、現在行われている通信に係るトラフィックが端末装置２００からのＳＣＣでの接続先として自装置が追加されたと仮定して処理可能なトラフィックを越えないとき、接続先を自装置に変更可能であると判定する。変更可能と判定されたとき、基地局装置ＢＴＳｂ１は、端末装置２００との接続先として自装置に変更可能であることを示す変更（ＨＯ）応答信号を基地局装置ＢＴＳａ１に送信する。その後、ステップＳ３１２に進む。
（ステップＳ３１２）基地局装置ＢＴＳａ１は、基地局装置ＢＴＳｂ１から接続先として基地局装置ＢＴＳｂ１に変更可能なことを示す変更応答信号を受信したとき、端末装置２００に変更（ＨＯ）要求信号を送信する。この変更要求信号は、ＳＣＣでの接続先を基地局装置ＢＴＳａ１から基地局装置ＢＴＳｂ１に変更することを示す信号である。その後、ステップＳ３１３に進む。
【００４１】
（ステップＳ３１３）端末装置２００は、基地局装置ＢＴＳｂ１から変更（ＨＯ）要求信号を受信することで、基地局装置ＢＴＳｂ１からのダウンリンクチャネルとの同期を取得する。端末装置２００は、所定の時間スロットに設けられるランダムアクセスチャネルを用いて基地局装置ＢＴＳｂ１にランダムアクセスを行うことを示すランダムアクセス要求信号を送信する。この間、基地局装置ＢＴＳａ１は、ＳＣＣでの端末装置２００との接続（通信モード１）を切断し、端末装置２００に宛てたデータをＰＣＣで端末装置２００に送信するか、基地局装置ＢＴＳｂ１に転送する。その後、ステップＳ３１４に進む。
（ステップＳ３１４）基地局装置ＢＴＳｂ１は、端末装置２００からランダムアクセス信号を受信（ランダムアクセス成功）したとき、その旨を示すランダムアクセス応答信号を端末装置２００に送信する。基地局装置ＢＴＳｂ１は、コアネットワークに接続されたＭＭＥ（Ｍｏｂｉｌｉｔｙ  Ｍａｎａｇｅｍｅｎｔ  Ｅｎｔｉｔｙ、移動管理装置、図示せず）に端末装置２００についてのルート更新を示すルート更新信号を送信する。ＭＭＥからルート更新を行ったことを示すルート更新応答信号を受信し、端末装置２００との間でＳＣＣとしてＣＣｂ１を用いて（通信モード２）データを送受信するデータ通信を開始する。
【００４２】
なお、上述では、通信条件として、ＣＡを行っているときのＳＣＣでの接続先としてマクロセルである基地局装置ＢＴＳａ１からスモールセルである基地局装置ＢＴＳｂ１に変更する場合を例にとって説明したが、本実施形態ではこれには限られない。例えば、本実施形態では、通信条件を変更する態様として、例えば、次の態様に適用できる；（１）ＣＡを行っている同一のマクロセル内又はマクロセル・スモールセル間においてＰＣＣ又はＳＣＣの接続先を遷移、（２）ＣＡを行っている同一のマクロセル内又はマクロセル・スモールセル間でのＰＣＣとＳＣＣとの交換、（３）ＣＡを行っているときにＳＣＣを削除しＣＡを行わない通信モードに変更その他キャリア数の変更。
【００４３】
なお、ＣＡにおいて、ＰＣＣでは、ＰＵＣＣＨ（Ｐｈｙｓｉｃａｌ  Ｕｐｌｉｎｋ  ｃｏｎｔｒｏｌ  Ｃｈａｎｎｅｌ、物理上り制御チャネル）やＰＲＡＣＨ（Ｐｈｙｓｉｃａｌ  Ｒａｎｄｏｍ  Ａｃｃｅｓｓ  Ｃｈａｎｎｅｌ、物理ランダムアクセスチャネル）の送信が行われるが、ＳＣＣでは行われない。そのため、ＰＣＣの方がＳＣＣよりも通信時の安定性が望まれる。例えば、ＰＣＣとＳＣＣとの交換を実行して、キャリア数やアンテナ数の変化がなくとも、通信においてより高い安定性が期待される場合には、通信条件変更可否判定部１２２２は、その交換を実行すると判定してもよい。例えば、ＰＣＣとして２ＧＨｚ帯、ＳＣＣとして８００ＭＨｚ帯が用いられているときに端末装置２００が、セルの周縁部（セルエッジ）やビル等の構造物に囲まれている空間のように電波が基地局装置１００から届きにくい位置に移動した場合を仮定する。この場合には、周波数がより低い８００ＭＨｚ帯がＰＣＣとして用いられ、２ＧＨｚ帯がＳＣＣとして用いられることで、より安定した通信が可能になる。
【００４４】
次に、本実施形態に係る通信システムにおける通信処理の他の例について説明する。以下の説明では、端末装置２００がＬＴＥ−Ａ方式（通信方式１）を用いて基地局装置１００ａとの間でデータ通信（サービス１）を行っている状態から、Ｗ−ＣＤＭＡ方式（通信方式２）を用いて基地局装置１００ｂとの間で同一のサービス１を行っている状態に変更する場合を例にとる。基地局装置１００ａ、１００ｂは、それぞれＬＴＥ−Ａ方式、Ｗ−ＣＤＭＡ方式を用いて端末装置２００との通信を行うことができる。端末装置２００は、それぞれの通信方式で１個のキャリアを用いる。
【００４５】
図８は、本実施形態を係る通信システムにおける通信処理の他の例を示すシーケンス図である。
図８に示す通信処理は、端末装置２００の接続先を基地局装置１００ａから基地局装置１００ｂに変更することに伴って通信方式を変更する点が、図７に示した同一通信方式内で通信モードを変更する通信処理と異なる。以下では、図７と同一の処理について同一の符号を付して説明を援用し、その他の差異点について説明する。
図８に示す通信処理では、ステップＳ３０２を実行した後、ステップＳ４０３に進む。
（ステップＳ４０３）基地局装置１００ａは、コアネットワークから現在使用されている通信方式１（例えば、ＬＴＥ−Ａ方式）の他、未使用の通信方式（Ｗ−ＣＤＭＡ方式等）に係る通信システム情報を収集する。その後、ステップＳ３０４に進む。
（ステップＳ４０６）端末装置２００は、受信した通信システム情報に基づいて抽出した通信条件のうち、表示させた通信条件から、利用者による操作入力を受け付け、いずれかの通信条件（例えば、通信方式２）を選択する。その後、ステップＳ３０７に進む。
【００４６】
ステップＳ３０９−Ｓ３１４では、端末装置２００からの接続先を基地局装置１００ａから基地局装置１００ｂに変更する処理を行う。ステップＳ３１３において、基地局装置１００ａは、通信方式１（例えば、ＬＴＥ−Ａ方式）での端末装置２００との接続を切断し、基地局装置１００ｂに端末装置２００に宛てたデータを転送する。
ステップＳ３１４では、端末装置２００は通信方式を通信方式２（例えば、Ｗ−ＣＤＭＡ方式）に変更し、基地局装置１００ｂは、端末装置２００との間で通信方式２（例えば、Ｗ−ＣＤＭＡ方式）を用いてデータの送受信を行う。
【００４７】
なお、上述では、通信条件として、ＬＴＥ−Ａ方式を用いて基地局装置１００ａと接続している状態からＷ−ＣＤＭＡ方式を用いて基地局装置１００ｂと接続している状態に変更する場合を例にとって説明したが、本実施形態ではこれには限られない。本実施形態では、次の例にも適用できる：（１）ＦＤ（Ｆｒｅｑｕｅｎｃｙ  Ｄｉｖｉｓｉｏｎ）−ＬＴＥ方式からＴＤ（Ｔｉｍｅ  Ｄｉｖｉｓｉｏｎ）−ＬＴＥへの変更、もしくはその逆、（２）ＬＴＥ方式からＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）方式への変更、（３）Ｗ−ＣＤＭＡ方式からＬＴＥ方式もしくはＧＳＭ（登録商標）方式への変更、（４）ＧＳＭ（登録商標）方式からＬＴＥ方式もしくはＷ−ＣＤＭＡ方式への変更。また、上述した通信処理は、通信モードの変更において、ＭＩＭＯを使用するか否かを切り替える場合にも適用することができる。
【００４８】
以上、説明したように、本実施形態では、基地局装置を介して利用可能な通信条件に係る通信システム情報を基地局装置から受信し、受け付けた操作入力に応じて、受信した通信システム情報が示す通信条件のうち自装置の利用状況を示す端末情報に基づいて変更可能な通信条件のいずれかを選択する。また、本実施形態では、現在利用している通信条件を選択した通信条件に変更することを基地局装置に要求する。そのため、通信環境の変化や利用者の都合に応じて、利用者が自発的に通信条件を選択することができる。
【００４９】
（第２の実施形態）
次に本発明の第２の実施形態について説明する。上述の実施形態と同一の構成、処理については、第１の実施形態の説明を援用し、以下では主に異なる点について説明する。
通信条件選択部２２５（図４）は、抽出した通信条件を端末情報に基づいて現在提供されている通信サービスを実現する通信条件の優先度を定める。そして、通信条件選択部２２５は、抽出した通信条件を定めた優先度で配列した通信条件情報を表示部２０３（図４）に出力してもよい。通信条件選択部２２５は、例えば、通信条件を変更したと仮定したときのトラフィックが所定の閾値よりも少ない通信方式の優先度を他の通信方式よりも高くしてもよい。また、通信条件選択部２２５は、現在通話サービスが提供されている場合、実効的な通信容量の変動が比較的大きいために音声通信に適さないＩＥＥＥ８０２．１１を通信条件の候補から除外してもよい。また、通信条件選択部２２５は、端末装置２００が備える電源の電圧が所定の電圧値（例えば、３．６Ｖ）よりも低い場合には、よりキャリア数が少ない通信条件（例えば、ＣＡを行わない、ＭＩＭＯを行わない）についての優先度を高くする。
また、通信条件選択部２２５は、定めた優先度が最も高い通信条件を選択し、選択した通信条件を示す通信条件情報を通信条件変更要求部２２６に出力してもよい。その場合、通信条件選択部２２５は、表示部２０３に通信条件情報を出力して、通信条件選択画像を表示させなくてもよい。
これにより端末装置２００の利用状況によって適切な通信条件が優先して選択される。
【００５０】
（第３の実施形態）
次に本発明の第３の実施形態について説明する。上述の実施形態と同一の構成、処理については、第１の実施形態の説明を援用し、以下では主に異なる点について説明する。
通信システム情報は時間経過によって変動する情報であるが、通信システム情報受信部２２２（図４）は、現在受信した通信システム情報が、直前に受信した通信システム情報から変更があったか否かを判定する。変更があったと判定された場合に、受信した通信システム情報が変更されたことを示す通信システム変更画像を表示部２０３（図４）に表示させてもよい。また、通信条件選択部２２５（図４）は、通信システム変更画像の代わりに上述した通信条件選択情報を表示部２０３に出力し、表示部２０３に通信条件選択画像を表示させてもよい。
また、通信システム情報送信部１２１３（図２）は、現在入力されたシステム情報が前回入力されたシステム情報から変化があった場合にのみ、入力されたシステム情報を端末装置２００に送信してもよい。この場合、通信システム情報受信部２２２が、現在受信した通信システム情報が変更したか否かを判定する処理を省略してもよい。
これにより利用者に通信環境の変化を認識させ、通信条件を変更することが促される。
【００５１】
なお、上述した実施形態において、通信システム情報受信部２２２（図４）は、基地局装置１００から受信した通信システム情報として、制御部１２０（図２）が予め定めた時間間隔で送信する報知情報やその他の制御信号を受信してもよい。その場合には、通信システム情報要求部２２１（図４、ステップＳ１０２（図５）、Ｓ３０２（図７、８））を省略してもよい。
ここで、通信システム情報収集部１２１２（図２）は、端末装置２００から通信システム情報要求信号を受信したか否かによらず、通信システム情報を収集してもよい。通信システム情報送信部は、収集した通信システム情報を自発的に、例えば、予め定めた時間間隔で端末装置２００に送信してもよい。
上述では、通信システム情報収集部１２１２は、コアネットワークから収集した通信システム情報から、予め定めた時間（例えば、１時間）後の通信システム情報を推定し、推定した通信システム情報を端末装置２００に送信してもよい。通信システム情報を推定するために、通信システム情報収集部１２１２は、例えば、過去の通信システム情報を記憶し、記憶した通信システム情報の変動周期等を用いてもよい。
【００５２】
上述した実施形態は、次の態様でも実施することができる。
（１）基地局装置を介して利用可能な通信条件に係る通信システム情報を前記基地局装置から受信する通信システム情報受信部と、前記通信システム情報受信部が受信した通信システム情報が示す通信条件のうち自装置の利用状況を示す端末情報に基づいて変更可能な通信条件のいずれかを選択する通信条件選択部と、自装置が現在利用している通信条件を前記通信条件選択部が選択した通信条件に変更することを前記基地局装置に要求する通信条件変更要求部とを備える端末装置。
【００５３】
（２）前記通信条件選択部は、前記基地局装置から受信した通信システム情報が示す通信条件のうち、自装置が提供する通信サービスで要求される通信条件を選択することを特徴とする（１）の端末装置。
【００５４】
（３）利用者による操作入力を受け付ける操作受付部と、前記利用者に情報を提示する表示部と、をさらに備え、前記通信条件選択部は、前記基地局装置から受信した通信システム情報が示す通信条件を、前記表示部に表示させ、前記操作受付部が受け付けた操作入力に応じて、前記表示部に表示させた通信条件のいずれかを選択することを特徴とする（２）の端末装置。
【００５５】
（４）前記通信条件選択部は、前記端末情報に基づいて通信条件毎に順位を定め、前記定めた順位で前記通信条件を前記表示部に表示させることを特徴とする（３）の端末装置。
【００５６】
（５）前記通信システム情報受信部は、現在受信した通信システム情報が、直前に受信した通信システム情報から変更された場合、受信した通信システム情報が変更されたことを前記表示部に表示させることを特徴とする（３）又は（４）の端末装置。
【００５７】
（６）端末装置と基地局装置とを備える通信システムにおいて、前記端末装置は、基地局装置を介して利用可能な通信条件に係る通信システム情報を前記基地局装置から受信する通信システム情報受信部と、操作受付部が受け付けた操作入力に応じて、前記通信システム情報受信部が受信した通信システム情報が示す通信条件のうち自装置の利用状況を示す端末情報に基づいて変更可能な通信条件のいずれかを選択する通信条件選択部と、前記端末装置が現在利用している通信条件を前記通信条件選択部が選択した通信条件に変更することを前記基地局装置に要求する通信条件変更要求部と、を備える通信システム。
【００５８】
（７）端末装置における通信方法であって、基地局装置を介して利用可能な通信条件に係る通信システム情報を前記基地局装置から受信する通信システム情報受信過程と、操作受付部が受け付けた操作入力に応じて、前記通信システム情報受信過程で受信した通信システム情報が示す通信条件のうち前記端末装置の利用状況を示す端末情報に基づいて変更可能な通信条件のいずれかを選択する通信条件選択過程と、現在前記端末装置が利用している通信条件を前記通信条件選択過程で選択した通信条件に変更することを前記基地局装置に要求する通信条件変更要求過程と、を有する通信方法。
【００５９】
（８）端末装置のコンピュータに、基地局装置を介して利用可能な通信条件に係る通信システム情報を前記基地局装置から受信する通信システム情報受信手順、操作受付部が受け付けた操作入力に応じて、前記通信システム情報受信手順で受信した通信システム情報が示す通信条件のうち前記端末装置の利用状況を示す端末情報に基づいて変更可能な通信条件のいずれかを選択する通信条件選択手順、現在前記端末装置が利用している通信条件を前記通信条件選択手順で選択した通信条件に変更することを前記基地局装置に要求する通信条件変更要求手順、を実行させるための通信プログラム。
【００６０】
基地局装置１００、１００ａ、１００ｂ、１００ｌ、１００ｗ、端末装置２００の一部、例えば、制御部１２０、１２０ｌ、１２０ｗ、２２０は、コンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
また、上述した実施形態における基地局装置１００、１００ａ、１００ｂ、１００ｌ、１００ｗ、端末装置２００の一部、または全部を、ＬＳＩ（Ｌａｒｇｅ  Ｓｃａｌｅ  Ｉｎｔｅｇｒａｔｉｏｎ）等の集積回路として実現してもよい。基地局装置１００、１００ａ、１００ｂ、１００ｌ、１００ｗ、端末装置２００の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００６１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００６２】
１…通信システム、１００、１００ａ、１００ｂ、１００ｌ、１００ｗ、ＢＴＳａ１、ＢＴＳａ２、ＢＴＳｂ１…基地局装置、
１０１、１０１ｌ、１０１ｗ…送信部、１０１−１−１〜１０１−２−２…送信処理部、
１０２、１０２ｌ、１０２ｗ…受信部、１０２−１−１〜１０２−２−２…受信処理部、
１２０、１２０ｌ、１２０ｗ…制御部、１２１…通信システム情報処理部、
１２１１…通信システム情報要求受信部、１２１２…通信システム情報収集部、
１２１３…通信システム情報送信部、
１２２…通信条件変更要求処理部、１２２１…通信条件変更要求受信部、
１２２２…通信条件変更可否判定部、１２２３…通信条件変更可否送信部、
１２２４…通信条件変更処理部、
２００…端末装置、２０１…送信部、２０１−１−１〜２０１−２−２…送信処理部、
２０２…受信部、２０２−１−１〜２０２−２−２…受信処理部、
２０３…表示部、２０４…操作受付部
２２０…制御部、２２１…通信システム情報要求部、２２２…通信システム情報受信部、
２２３…通信システム情報記憶部、２２４…端末情報取得部、２２５…通信条件選択部、
２２６…通信条件変更要求部、２２７…通信条件変更処理部
【図１】
2014183394.tif 000003
【図２】
2014183394.tif 000004
【図３】
2014183394.tif 000005
【図４】
2014183394.tif 000006
【図５】
2014183394.tif 000007
【図６】
2014183394.tif 000008
【図７】
2014183394.tif 000009
【図８】
2014183394.tif 000010